(57)【特許請求の範囲】
【請求項１】
便器を洗浄する洗浄水を貯水する洗浄水タンク装置であって、
洗浄水が貯水され、底面に排水口が形成された貯水タンクと、
上記排水口を開閉する弁体と、洗浄水を貯水する貯水部と、この貯水部の下方に設けられて洗浄水を保留する洗浄水保留部と、上記貯水部と上記洗浄水保留部とを貫く孔部と、上記洗浄水保留部内に設けられ且つこの洗浄水保留部内の水位に伴って上記弁体と共に上下動して上記孔部を開閉するフロートと、を備え、上記洗浄水保留部の下部から空気が流入して上記フロートの浮力が失われることにより、上記フロート及び上記弁体が下降して上記排水口を閉鎖する排水弁装置と、を有し、
上記排水弁装置は、更に、上記排水口を取り囲むように上記貯水タンクの底面から上方に延びる側面部を備え且つ上方が開放されると共に上記側面部に開口部が形成された筒体と、この筒体の開口部の開口断面積を調節可能に上記筒体の開口部を開閉する切替弁と、上記切替弁が上記筒体の開口部を開放している状態で上記弁体が上記排水口を開放し、上記貯水タンク内の洗浄水が上記筒体の開口部から上記筒体内に流入して上記排水口から排出される際に、上記筒体内の洗浄水の水位低下を安定化させる水位低下安定化手段と、を備えていることを特徴とする洗浄水タンク装置。
【請求項２】
上記筒体は、上記開口部が形成されている第１の側面部と、この第１の側面部と対向する第２の側面部と、上記筒体内に形成されて上記第１の側面部を含む第１の内部領域と、上記筒体内に形成されて上記第２の側面部を含み且つ上記第１の内部領域とは異なる第２の内部領域と、を備え、上記水位低下安定化手段は、上記筒体の内側と上記排水弁装置の外側との間を上下方向に延びるように設けられて上記筒体の内部領域を上記第１の内部領域と上記第２の内部領域とに区画する壁体である請求項１記載の洗浄水タンク装置。
【請求項３】
上記筒体は、上記開口部が形成されている第１の側面部と、この第１の側面部と対向する第２の側面部と、上記筒体内に形成されて上記第１の側面部を含む第１の内部領域と、上記筒体内に形成されて上記第２の側面部を含み且つ上記第１の内部領域とは異なる第２の内部領域と、を備え、上記水位低下安定化手段は、上記筒体の第２の内部領域内の容積が上記筒体の第１の内部領域内の容積よりも少なくなるように、上記筒体の第２の側面部と上記排水弁装置の洗浄水保留部との間の間隔を上記筒体の第１の側面部と上記排水弁装置の洗浄水保留部との間隔よりも短く設定する請求項１記載の洗浄水タンク装置。
【請求項４】
上記水位低下安定化手段は、更に、上記筒体の第２の側面部と上記排水弁装置の洗浄水保留部との間の間隔をほぼ零となるように設定する請求項３に記載の洗浄水タンク装置。
【請求項５】
上記筒体の側面部は、互いに対向する第１の側面部及び第２の側面部を備え、上記筒体の側面部に形成された開口部は、上記第１の側面部に形成された第１の開口部と、上記第２の側面部に形成された第２の開口部と、を備え、上記切替弁は、上記筒体の第１の開口部の開口断面積を調節可能に上記第１の開口部を開閉する第１の切替弁と、上記筒体の第２の開口部の開口断面積を調節可能に上記第２の開口部を開閉する第２の切替弁と、を備え、上記水位低下安定化手段は、上記筒体の第１の開口部及び上記第２の開口部をほぼ同一の高さ位置に設定し、上記第１の切替弁及び上記第２の切替弁のぞれぞれが上記筒体の第１の開口部及び第２の開口部をそれぞれ開放している状態で上記排水弁装置の弁体が上記排水口を開放し、上記貯水タンク内の洗浄水が上記筒体の第１の開口部及び第２の開口部から上記筒体内に流入して上記排水口から排出される際に、上記筒体内の洗浄水の水位低下を安定化させる請求項１記載の洗浄水タンク装置。
【発明の詳細な説明】
【技術分野】
【０００１】
本発明は、洗浄水タンク装置に係り、特に、便器を洗浄する洗浄水を貯水する洗浄水タンク装置に関する。
【背景技術】
【０００２】
従来から、便器を洗浄する洗浄水を貯水する洗浄水タンク装置として、例えば、特許文献１に記載されているように、洗浄水タンクの底部に形成された排水口とこの排水口を開閉させる排水弁とを囲むように筒体が設けられ、この筒体の側面には開口が形成されると共に、この筒体の開口を開閉する切替弁が設けられているものが知られている。
このような、従来の洗浄水タンク装置においては、便器の大洗浄を行う際には、筒体の開口が切替弁で開放されたままの状態で排水弁が上昇して排水口を開放することにより、洗浄水タンク内の洗浄水が筒体の開口を通過し、排水口から便器へ排出される洗浄水量を多くする一方、便器の小洗浄を行う際には、筒体の開口が切替弁で閉鎖された状態で排水弁が上昇して排水口を開放し、洗浄水タンク内から排水口を経て便器へ排出させる洗浄水量を少なくすることにより、大洗浄モードと小洗浄モードのいずれかの洗浄モードに切り替えるようになっている。
【先行技術文献】
【特許文献】
【０００３】
【特許文献１】特開昭６１−７２１４４号公報
【発明の概要】
【発明が解決しようとする課題】
【０００４】
しかしながら、上述した従来の洗浄水タンク装置では、例えば、筒体の開口とこの開口を開閉する切替弁が、ほぼ直方体状の筒体における片側の側面等の一部の側面にしか設けられていないため、便器の大洗浄における排水弁による排水時に切替弁により筒体の開口が開放された状態で洗浄水タンク内の洗浄水が筒体の開口から筒体内に流入した際、筒体の開口に近い筒体内部の近位側領域の洗浄水の水位が、筒体の開口から離れた筒体内部の遠位側領域の洗浄水の水位よりも高くなり、筒体内の水位が開口から遠ざかるほど低くなるように傾いて不安定な状態となるため、筒体内の水位と連動する排水弁が下降するタイミングがばらつき、洗浄水タンクの排水口から排出される洗浄水の量もばらついてしまうという問題がある。
【０００５】
そこで、本発明は、上述した従来技術の問題点を解決するためになされたものであり、便器の洗浄時に排水弁が下降するタイミングを安定化させ、洗浄水タンクの排水口から便器に排出される洗浄水の量を安定させることができる洗浄水タンク装置を提供することを目的としている。
【課題を解決するための手段】
【０００６】
上記の目的を達成するために、本発明は、便器を洗浄する洗浄水を貯水する洗浄水タンク装置であって、洗浄水が貯水され、底面に排水口が形成された貯水タンクと、上記排水口を開閉する弁体と、洗浄水を貯水する貯水部と、この貯水部の下方に設けられて洗浄水を保留する洗浄水保留部と、上記貯水部と上記洗浄水保留部とを貫く孔部と、上記洗浄水保留部内に設けられ且つこの洗浄水保留部内の水位に伴って上記弁体と共に上下動して上記孔部を開閉するフロートと、を備え、上記洗浄水保留部の下部から空気が流入して上記フロートの浮力が失われることにより、上記フロート及び上記弁体が下降して上記排水口を閉鎖する排水弁装置と、を有し、上記排水弁装置は、更に、上記排水口を取り囲むように上記貯水タンクの底面から上方に延びる側面部を備え且つ上方が開放されると共に上記側面部に開口部が形成された筒体と、この筒体の開口部の開口断面積を調節可能に上記筒体の開口部を開閉する切替弁と、上記切替弁が上記筒体の開口部を開放している状態で上記弁体が上記排水口を開放し、上記貯水タンク内の洗浄水が上記筒体の開口部から上記筒体内に流入して上記排水口から排出される際に、上記筒体内の洗浄水の水位低下を安定化させる水位低下安定化手段と、を備えていることを特徴としている。
このように構成された本発明においては、切替弁が筒体の開口部を開放した状態で排水弁装置の弁体が排水口を開放すると、貯水タンク内の洗浄水が筒体の開口部から筒体内に流入して排水口から排出される。この際、水位低下安定化手段により、筒体内の洗浄水の水位低下を安定化させることができるため、排水弁装置の洗浄水保留部の下部から空気が流入するタイミングも安定化させることができ、排水弁装置の弁体が下降するタイミングを安定化させ、排水口から排出される洗浄水の量を安定させることができる。
【０００７】
本発明において、好ましくは、上記筒体は、上記開口部が形成されている第１の側面部と、この第１の側面部と対向する第２の側面部と、上記筒体内に形成されて上記第１の側面部を含む第１の内部領域と、上記筒体内に形成されて上記第２の側面部を含み且つ上記第１の内部領域とは異なる第２の内部領域と、を備え、上記水位低下安定化手段は、上記筒体の内側と上記排水弁装置の外側との間を上下方向に延びるように設けられて上記筒体の内部領域を上記第１の内部領域と上記第２の内部領域とに区画する壁体である。
このように構成された本発明においては、切替弁が筒体の開口部を開放した状態で排水弁装置の弁体が排水口を開放すると、貯水タンク内の洗浄水が筒体の開口部から筒体の第１の内部領域内に流入する。この際、筒体の内部領域を第１の内部領域と第２の内部領域とに区画する壁体が筒体内の洗浄水の水位の低下を安定化させる水位低下安定化手段として機能することによって、筒体の第１の内部領域内の洗浄水が筒体の第２の内部領域へ流入することが抑制されるため、筒体の第１の内部領域及び第２の内部領域のそれぞれの領域内における水位低下を安定化させることができる。したがって、排水弁装置の洗浄水保留部内の水位低下も安定化させることができるため、洗浄水保留部の下部から空気が流入するタイミングも安定化させることができ、排水弁装置の弁体が下降するタイミングを安定化させ、排水口から排出される洗浄水の量を安定させることができる。
【０００８】
本発明において、好ましくは、上記筒体は、上記開口部が形成されている第１の側面部と、この第１の側面部と対向する第２の側面部と、上記筒体内に形成されて上記第１の側面部を含む第１の内部領域と、上記筒体内に形成されて上記第２の側面部を含み且つ上記第１の内部領域とは異なる第２の内部領域と、を備え、上記水位低下安定化手段は、上記筒体の第２の内部領域内の容積が上記筒体の第１の内部領域内の容積よりも少なくなるように、上記筒体の第２の側面部と上記排水弁装置の洗浄水保留部との間の間隔を上記筒体の第１の側面部と上記排水弁装置の洗浄水保留部との間隔よりも短く設定する。
このように構成された本発明においては、切替弁が筒体の開口部を開放した状態で排水弁装置の弁体が排水口を開放すると、貯水タンク内の洗浄水が筒体の開口部から筒体の第１の内部領域内に流入する。この際、水位低下安定化手段により、筒体の第２の内部領域内の容積が筒体の第１の内部領域内の容積よりも少なくなるように、筒体の第２の側面部と排水弁装置の洗浄水保留部との間の間隔が、筒体の開口部が形成されている第１の側面部と排水弁装置の洗浄水保留部との間隔よりも短く設定されているため、筒体の第１の内部領域及び第２の内部領域のそれぞれの領域内における水位低下をより安定化させることができる。したがって、排水弁装置の洗浄水保留部内の水位低下も安定化させることができるため、洗浄水保留部の下部から空気が流入するタイミングも安定化させることができ、排水弁装置の弁体が下降するタイミングを安定化させ、排水口から排出される洗浄水の量を安定させることができる。
【０００９】
本発明において、好ましくは、上記水位低下安定化手段は、更に、上記筒体の第２の側面部と上記排水弁装置の洗浄水保留部との間の間隔をほぼ零となるように設定する。
このように構成された本発明においては、筒体内の洗浄水の水位の低下を安定化させる水位低下安定化手段として、筒体の第２の側面部と排水弁装置の洗浄水保留部との間の間隔がほぼ零となるように設定されているため、筒体の開口部が形成されている第１の側面部を含む筒体の第１の内部領域内の洗浄水の水位低下のみにより、洗浄水保留部の下部から空気が流入するタイミングを調整することができる。したがって、排水弁装置の弁体が下降するタイミングを安定化させ、排水口から排出される洗浄水の量を安定させることができる。
【００１０】
本発明において、好ましくは、上記筒体の側面部は、互いに対向する第１の側面部及び第２の側面部を備え、上記筒体の側面部に形成された開口部は、上記第１の側面部に形成された第１の開口部と、上記第２の側面部に形成された第２の開口部と、を備え、上記切替弁は、上記筒体の第１の開口部の開口断面積を調節可能に上記第１の開口部を開閉する第１の切替弁と、上記筒体の第２の開口部の開口断面積を調節可能に上記第２の開口部を開閉する第２の切替弁と、を備え、上記水位低下安定化手段は、上記筒体の第１の開口部及び上記第２の開口部をほぼ同一の高さ位置に設定し、上記第１の切替弁及び上記第２の切替弁のぞれぞれが上記筒体の第１の開口部及び第２の開口部をそれぞれ開放している状態で上記排水弁装置の弁体が上記排水口を開放し、上記貯水タンク内の洗浄水が上記筒体の第１の開口部及び第２の開口部から上記筒体内に流入して上記排水口から排出される際に、上記筒体内の洗浄水の水位低下を安定化させる。
このように構成された本発明においては、第１の切替弁及び第２の切替弁のそれぞれが筒体の第１の開口部を開放した状態で排水弁装置の弁体が排水口を開放すると、貯水タンク内の洗浄水が筒体の第１の開口部及び第２の開口部のそれぞれから筒体内に流入して排水口から排出される。この際、筒体の第１の開口部及び第２の開口部をほぼ同一の高さ位置に設定している水位低下安定化手段により、筒体内の洗浄水の水位低下を安定化させることができるため、排水弁装置の洗浄水保留部の下部から空気が流入するタイミングも安定化させることができ、排水弁装置の弁体が下降するタイミングを安定化させ、排水口から排出される洗浄水の量を安定させることができる。
【発明の効果】
【００１１】
本発明の洗浄水タンク装置によれば、便器の洗浄時に排水弁が下降するタイミングを安定化させ、洗浄水タンクの排水口から便器に排出される洗浄水の量を安定させることができる。
【図面の簡単な説明】
【００１２】
【図１】本発明の第１実施形態による洗浄水タンク装置が適用された水洗便器の断面図である。
【図２】本発明の第１実施形態による洗浄水タンク装置の概略構造を示す正面断面図である。
【図３】本発明の第１実施形態による洗浄水タンク装置の排水弁装置の分解斜視図である。
【図４】本発明の第１実施形態による洗浄水タンク装置の排水弁装置の平面図である。
【図５】本発明の第１実施形態による洗浄水タンク装置の大洗浄モードにおける排水開始前の状態を示す概略断面図である。
【図６】本発明の第１実施形態による洗浄水タンク装置の大洗浄モードにおける排水開始時の状態を示す概略断面図である。
【図７】本発明の第１実施形態による洗浄水タンク装置の大洗浄モードにおける排水途中の状態を示す概略断面図である。
【図８】本発明の第１実施形態による洗浄水タンク装置の大洗浄モードにおける排水終了後の状態を示す概略断面図である。
【図９】本発明の第２実施形態による洗浄水タンク装置の大洗浄モードにおける排水開始前の状態を示す概略断面図である。
【図１０】本発明の第２実施形態による洗浄水タンク装置の排水弁装置の分解斜視図である。
【図１１】本発明の第２実施形態による洗浄水タンク装置の排水弁装置の平面図である。
【図１２】本発明の第２実施形態による洗浄水タンク装置の大洗浄モードにおける排水開始時の状態を示す概略断面図である。
【図１３】本発明の第２実施形態による洗浄水タンク装置の大洗浄モードにおける排水途中の状態を示す概略断面図である。
【図１４】本発明の第２実施形態による洗浄水タンク装置の大洗浄モードにおける排水終了後の状態を示す概略断面図である。
【図１５】本発明の第３実施形態による洗浄水タンク装置の大洗浄モードにおける排水開始前の状態を示す概略断面図である。
【図１６】本発明の第３実施形態による洗浄水タンク装置の排水弁装置の分解斜視図である。
【図１７】本発明の第３実施形態による洗浄水タンク装置の排水弁装置の平面図である。
【図１８】本発明の第３実施形態による洗浄水タンク装置の大洗浄モードにおける排水開始時の状態を示す概略断面図である。
【図１９】本発明の第３実施形態による洗浄水タンク装置の大洗浄モードにおける排水途中の状態を示す概略断面図である。
【図２０】本発明の第３実施形態による洗浄水タンク装置の大洗浄モードにおける排水終了後の状態を示す概略断面図である。
【発明を実施するための形態】
【００１３】
つぎに、添付図面により、本発明の第１実施形態による洗浄水タンク装置を説明する。
まず、図１により、本発明の第１実施形態による洗浄水タンク装置が適用された水洗便器を説明する。図１は、本発明の第１実施形態による洗浄水タンク装置が適用された水洗便器の断面図である。
【００１４】
図１に示すように、符号１は洗落し式の水洗便器を示し、この便器１は、便器本体２を備え、この便器本体２にはボウル部４と、導水路６と、ボウル部４の下部と連通するトラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１５】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１６】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
【００１７】
つぎに、図２により、洗浄水タンク装置１８の概略構成について説明する。図２は、本発明の第１実施形態による洗浄水タンク装置の概略構造を示す正面断面図である。
なお、本実施形態による洗浄水タンク装置は、上述した洗落し式以外の他のタイプの水洗便器（例えば、サイホン式水洗便器など）にも適用可能である。
【００１８】
図２に示すように、洗浄水タンク装置１８は、陶器製の外装タンク２０と、その内方に配置され、洗浄水が貯水される貯水タンク２２と、外装タンク２０に載せられる蓋体２４と、を備えている。
【００１９】
貯水タンク２２は、それを取り囲むように断熱体２６が設けられ、この断熱体２６を介して、所定の係合部材２８により、貯水タンク２２が外装タンク２０に取り付けられる。
また、貯水タンク２２の底面には、上述した便器本体の導水路６に連通する排水口２２ａが形成されている。この排水口２２ａの側面に延びる排水口部材２２ｂを所定の係合部材３０で固定することによっても、貯水タンク２２が外装タンク２０に取り付けられる。
【００２０】
また、蓋体２４には、蓋体２４に形成された手洗い鉢２４ａに手洗い用の水を吐水する手洗いカラン３２が設けられている。手洗いカラン３２から吐水された手洗い鉢２４ａの水は、手洗い鉢２４ａに形成された吐水口（流入口）２４ｂにより、貯水タンク２２に流入される。
この蓋体２４の下方には、吐水口２４ｂから流入する水を、後述する排水弁装置３４の制御筒３６の外方に導く導水部材３８が設けられている。
【００２１】
つぎに、洗浄水タンク装置１８は、洗浄水給水装置４０を備えている。この洗浄水給水装置４０は、従来のものと同様のものであり、外部の水道管などの給水源（図示せず）に接続される給水管４２、給水装置用フロート４４、給水管４２と連通し、貯水タンク２２に洗浄水を吐水する吐水管４５、給水装置用フロート４４にレバー４６を介して連結される給水バルブ４８などを備えている。
【００２２】
本実施形態では、この洗浄水給水装置４０により、排水開始の所定時間後、給水を開始するようにしている。本実施形態では、貯水タンク２２の満水時の止水水位は、図２に示す位置（ＷＬ０）で一定になるようにしている。
【００２３】
また、この洗浄水給水装置４０は、手洗いカラン３２に水を供給する手洗い給水管５０を備え、便器への洗浄水の供給開始時（排水開始時）、上述した蓋体２４の手洗いカラン３２に水の供給を開始するようにしている。
【００２４】
つぎに、洗浄水タンク装置１８は、操作装置５２及びこの操作装置５２の操作により作動される排水弁装置３４を備えている。
操作装置５２は、操作レバー５４と、モータ５６と、このモータ５６に接続される操作ボタン５８と、を備える。
操作ボタン５８は、後述する大洗浄用及び小洗浄用の２つの操作ボタンを備えている。
【００２５】
操作レバー５４は、一方（本実施形態では、手前側）に（９０度）回動させると、後述する大洗浄が開始され、他方（本実施形態では、奥側）に（９０度）回動させると、後述する小洗浄が開始されるように、排水弁装置３４を作動させる手動式の操作レバーである。
また、モータ５６は、大洗浄のボタンが押されると、操作レバー５４と同一の一方（手前側）の方向に回転し、小洗浄のボタンが押されると、操作レバー５４と同一の他方（奥側）の方向に回転して、それぞれ、大洗浄或いは小洗浄が開始されるように排水弁装置３４を作動させるようになっている。このように、本実施形態では、使用者は、大洗浄及び小洗浄については、操作レバー５４を操作してもよいし、操作ボタン５８を押してもよい。
【００２６】
これらの操作レバー５４及びモータ５６には、ワイヤ部材やユニバーサルジョイントなどにより構成される回転伝達部材６０が連結されている。
この回転伝達部材６０の他端側には、その回転に伴って、回転伝達部材６０を中心に揺動する第１の引き上げ部材６２及び第２の引き上げ部材６４が取り付けられ、これらの第１の引き上げ部材６２及び第２の引き上げ部材６４の先端部には、それぞれ、第１玉鎖６６の上端部分及び第２玉鎖６８の上端部分が取り付けられている。
【００２７】
これらの第１の引き上げ部材６２及び第２の引き上げ部材６４は、回転伝達部材６０を一方側（大洗浄時）に回転させると、第１の引き上げ部材６２のみが、その一方側に揺動して第１玉鎖６６のみを引き上げ、一方、回転伝達部材６０を他方側（小洗浄時）に回転させると、第１の引き上げ部材６２及び第２の引き上げ部材６４の両方が、その他方側に揺動して第１玉鎖６６及び第２玉鎖６８の両方を引き上げるような機構とされている。
【００２８】
つぎに、図２〜図４により、排水弁装置３４について説明する。
図３は、本発明の第１実施形態による洗浄水タンク装置の排水弁装置の分解斜視図であり、図４は、本発明の第１実施形態による洗浄水タンク装置の排水弁装置の平面図である。
まず、図３に示すように、本実施形態による洗浄水タンク装置１８の排水弁装置３４は、排水口２２ａを取り囲むように貯水タンク２２の底面から上方に延びるように設けられた筒体７０と、この筒体７０の側面に形成された開口部７０ａを開閉する切替弁７２と、弁体７４と、筒体７０の内方に配置される制御筒３６と、この制御筒３６の内方に配置されるフロート７６と、第１玉鎖６６の下端をフロート７６の上端部に固定する固定部材７７を備えている。
【００２９】
図３に示すように、筒体７０の開口部７０ａは、筒体７０の一側面における上下方向のほぼ中間部に形成され、この開口部７０ａの断面は、ほぼ矩形状となっている。
また、筒体７０は、開口部７０ａの下方且つ側方の両側に軸７０ｂを備え、切替弁７２は、筒体７０の軸７０ｂに回動可能取り付けられる受部７２ａを備えている。
さらに、切替弁７２の上端部には、第２玉鎖６８の下端部が取り付けられ、第２の引き上げ部材６４が第２玉鎖６８を引き上げることにより、切替弁７２が、筒体７０の軸７０ｂを中心に所定の下方位置から開口部７０ａを閉鎖する位置まで回動することができるようになっている。
【００３０】
また、切替弁７２には、錘７８が取り付けられている。図２に示すような第２の引き上げ部材６４による引き上げが行われる前の状態で切替弁７２が開口部７０ａを開放している初期位置の状態から、第２の引き上げ部材６４による第２玉鎖６８の引き上げが行われて切替弁７２が開口部７０ａを閉鎖した後、第２の引き上げ部材６４による第２玉鎖６８の引き上げが解除された際に、切替弁７２の自重と錘７８の重さにより、切替弁７２が開口部７０ａを開放している初期位置の状態に戻るようになっている。
【００３１】
フロート７６は、ほぼ円筒状に形成されたフロート本体７６ａと、上下方向に延びる上方棒状部分７６ｂ及び下方棒状部分７６ｃを備え、上方棒状部分７６ｂの上端部には、第１玉鎖６６の下端部分が取り付けられ、この第１玉鎖６６の下端部分が固定部材７７によって上方棒状部分７６ｂの上端部に固定されている。
また、下方棒状部分７６ｃの下端部には、周方向に沿って且つ半径方向内側に向って凹溝状に形成され、排水口２２ａを開閉する弁体７４が取り付けられる弁体保持部７６ｄが設けられ、弁体７４が弁体保持部７６ａにはめ込まれて固着され、フロート７６と共に上下動して、排水口２２ａを開閉する排水弁として機能するようになっている。
【００３２】
制御筒３６は、円筒状の側壁３６ａと、フロート本体７６ａのほぼ円形断面形状の上面部７６ｅに合うように形成されたほぼ円形の横断面形状の横壁部３６ｂを備え、この横壁部３６ｂのほぼ中央部には、フロート７６の上方棒状部分７６ｂを貫通させる孔部３６ｃが形成されている。
また、制御筒３６には、後述するように、フロート本体７６ａの上面部７６ｅが浮力により横壁部３６ｂの下面に密着したときに、洗浄水を貯水する貯水部３６ｄと、洗浄水を保留する洗浄水保留部３６ｅとがそれぞれ形成されるようになっている。これらの貯水部３６ｄと洗浄水保留部３６ｅは、制御筒３６の側壁３６ａによってほぼ円筒状に形成されている。
さらに、制御筒３６の貯水部３６ｄを形成する側壁３６ａにおける筒体７０の開口部７０ａ側には、小穴３６ｉが形成され、制御筒３６の洗浄水保留部３６ｅの下方部分には、外方側の洗浄水を排水口２２ａに流入させるための流入口３６ｆが形成されている。
【００３３】
さらに、図３及び図４に示すように、制御筒３６の側壁３６ａの正面側と背面側には、上下方向に延びて且つ筒体７０の内部領域を２つの内部領域Ｖ１，Ｖ２に区画するように前後方向に突出する一対の壁体である仕切壁３６ｇ，３６ｈがそれぞれ設けられている。
これらの仕切壁３６ｇ，３６ｈは、後述するように、水洗便器１の大洗浄における排水弁装置３４による排水時に、切替弁７２により筒体７０の開口部７０ａが開放された状態で貯水タンク２２内の洗浄水が筒体７０の開口部７０ａから筒体７０内に流入した際に、筒体７０内の洗浄水の水位低下を安定化させる水位低下安定化手段として機能するようになっている。
【００３４】
また、筒体７０の内部領域Ｖ１は、筒体７０の開口部７０ａが形成されている筒体７０の側壁７０ｃと、制御筒３６の仕切壁３６ｇ，３６ｈを含む側壁３６ａとの間に形成され、筒体７０の開口部７０ａに対して近位側に配置される筒体７０の内部領域である。
一方、筒体７０の内部領域Ｖ２は、筒体７０の開口部７０ａが形成されている筒体７０の側壁７０ｃと対向する筒体７０の側壁７０ｄと、制御筒３６の仕切壁３６ｇ，３６ｈを含む側壁３６ａとの間に形成され、筒体７０の開口部７０ａに対して遠位側に配置される筒体７０の内部領域である。
【００３５】
ここで、本実施形態では、仕切壁３６ｇ，３６ｈについては、一例として、図４に示すように、ほぼ円筒状の制御筒３６の側壁３６ａの最も正面側の位置と最も背面側の位置に対角線状に配置され、筒体７０の内部領域のうちの開口部７０ａに対して近位側の内部領域Ｖ１と筒体７０の内部領域のうちの開口部７０ａに対して遠位側の内部領域Ｖ２とがほぼ均等な内部容積となるように筒体７０の内部容積を二分割する形態について説明するが、このような形態に限定されず、例えば、筒体７０の内部領域Ｖ１が筒体７０の内部領域Ｖ２よりも大きくなるように仕切壁３６ｇ，３６ｈを筒体７０の開口部７０ａに対して遠位側へずらして配置する等、仕切壁３６ｇ，３６ｈの配置位置を筒体７０の開口部７０ａに対して遠位側又は近位側へ変更し、筒体７０の内部領域Ｖ１と筒体７０の内部領域Ｖ２との内部容積の割合を適宜変更してもよい。
【００３６】
また、本実施形態では、一例として、仕切壁３６ｇ，３６ｈについては、制御筒３６の側壁３６ａの正面側と背面側にそれぞれ設けた形態について説明しているが、このような形態に限定されず、制御筒３６の側壁３６ａの正面側と背面側に仕切壁３６ｇ，３６ｈを設ける代わりに、このような仕切壁３６ｇ，３６ｈに相当するものを筒体７０側（筒体７０の内周側）に設けてもよいし、制御筒３６の側壁３６ａと筒体７０との間に仕切壁３６ｇ，３６ｈに相当する板状の仕切り用の部材を別部材として設けてもよい。
【００３７】
つぎに、図２及び図５〜図８により、本発明の第１実施形態による洗浄水タンク装置の動作（作用）を説明する。
図５は、本発明の第１実施形態による洗浄水タンク装置の大洗浄モードにおける排水開始前の状態を示す概略断面図であり、図６は、本発明の第１実施形態による洗浄水タンク装置の大洗浄モードにおける排水開始時の状態を示す概略断面図である。また、図７は、本発明の第１実施形態による洗浄水タンク装置の大洗浄モードにおける排水途中の状態を示す概略断面図であり、図８は、本発明の第１実施形態による洗浄水タンク装置の大洗浄モードにおける排水終了後の状態を示す概略断面図である。
【００３８】
まず、図２及び図５に示すように、洗浄水タンク装置１８の大洗浄モードにおける排水開始前の状態では、排水口２２ａが排水弁装置３４の弁体７４によって閉鎖されている。
このとき、切替弁７２は、自重と錘７８の重さにより、筒体７０の開口部７０ａを開放した状態となっている。
【００３９】
つぎに、図２及び図６に示すように、大洗浄モードを開始する際、使用者が操作レバー５４を手前側に９０度回転させ、或いは、大洗浄のボタンが押されモータ５６が作動されると、第１の引き上げ部材６２のみが揺動され、第１玉鎖６６を介して排水弁装置３４のフロート７６が引き上げられる。これにより、排水弁装置３４の弁体７４が上昇して排水口２２ａが開放され、排水が開始され、貯水タンク２２の水位ＷＬ１が低下する。
また、第２の引き上げ部材６４は揺動せず、第２玉鎖６８は第２の引き上げ部材６４によって引き上げられないため、切替弁７２は筒体７０の開口部７０ａを開放したままの状態となっている。
このとき、図６に示すように、フロート７６は、この上方の制御筒３６の横壁部３６ｂに密着し、孔部３６ｃを塞ぐ位置まで引き上げられ、貯水部３６ｄ及び洗浄水保留部３６ｅには、それぞれ、洗浄水が満たされている状態となっている。
【００４０】
また、第１の引き上げ部材６２によってフロート７６の引き上げが完了すると、操作レバー５４は初期位置に戻されて、第１の引き上げ部材６２が初期位置に戻され、或いは、第１の引き上げ部材６２が初期位置に戻るようにモータ５６が作動される。
【００４１】
つぎに、図７に示すように、排水開始後、貯水タンク２２内の洗浄水の全体の水位が時間と共に低下し、図７に破線ＷＬ２で示されている筒体７０の上縁部（上面）付近の水位まで低下した時点で、筒体７０内の洗浄水が急激に排水口２２ａから排出されるようになる。
このとき、貯水タンク２２内の洗浄水の全体の水位は、水位ＷＬ２から水位ＷＬ３へ低下する。
【００４２】
また、筒体７０の内部領域は、制御筒３６の仕切壁３６ｇ，３６ｈによって、貯水タンク２２内と連通している筒体７０の開口部７０ａに対して近位側に配置される内部領域Ｖ１と筒体７０の開口部７０ａに対して遠位側に配置される内部領域Ｖ２の２つの内部領域に仕切られているため、筒体７０の内部領域Ｖ１内の水位は、貯水タンク２２内から筒体７０の開口部７０ａを経て流入した洗浄水と、制御筒３６の貯水部３６ｄ内から小穴３６ｉを経て内部領域Ｖ１内に流入した洗浄水とにより、貯水タンク２２内の洗浄水の全体の水位ＷＬ３と等しくなる。
【００４３】
一方、筒体７０の内部領域Ｖ２内の水位については、筒体７０の内部領域Ｖ１内の洗浄水が、制御筒３６の仕切壁３６ｇ，３６ｈによって筒体７０の内部領域Ｖ２内に浸入することができないため、筒体７０の内部領域Ｖ１内の水位ＷＬ３よりも低い水位ＷＬ４となる。
このとき、筒体７０の内部領域Ｖ２内の洗浄水の水位ＷＬ４については、制御筒３６の仕切壁３６ｇ，３６ｈによって筒体７０の開口部７０ａから内部領域Ｖ１内に流入する洗浄水の流れの影響を受けにくくなるため、弁体７４が排水口２２ａを閉鎖するまで、安定した状態で水位が低下する。
すなわち、制御筒３６の仕切壁３６ｇ，３６ｈが、筒体７０の内部領域Ｖ２内の水位の低下を安定化させる水位低下安定化手段として機能する。
【００４４】
その後、図７に示す筒体７０の内部領域Ｖ２内の水位ＷＬ４が、時間の経過とともに安定して低下し、制御筒３６の洗浄水保留部３６ｅの下部に配置されている流入口３６ｆの上縁部付近の水位まで低下した時点で、流入口３６ｆを介して、洗浄水保留部３６ｅの下部から洗浄水保留部３６ｅに空気が流入し、フロート７６が浮力を失う。
この結果、フロート７６が下降すると同時に、貯水部３６ｄの孔部３６ｃが開放され、貯水部３６ｄの洗浄水が孔部３６ｃから洗浄水保留部３６ｅ内に流入し、洗浄水保留部３６ｅ内の洗浄水は、下方に流出して排水口２２ａから排出される。そして、図８に示すように、弁体７４が排水口２２ａを閉鎖し、排水が終了する。
【００４５】
このとき、筒体７０の内部領域Ｖ２内の水位は安定しながら低下するため、制御筒３６の洗浄水保留部３６ｅ内の水位低下も安定し、制御筒３６の洗浄水保留部３６ｅの下部から洗浄水保留部３６ｅに空気が流入するタイミングも排水動作毎にばらつくことなく安定する。そして、フロート７６も安定した状態で下降して、弁体７４が排水口２２ａを閉鎖する閉弁動作のタイミングも安定した状態で閉弁動作が行われる。
【００４６】
最終的には、図８に示すように、貯水タンク２２内の洗浄水の全体の水位ＷＬ５は、筒体７０の開口部７０ａの下縁部付近の水位となり、筒体７０の内部領域Ｖ１内の水位と筒体７０の内部領域Ｖ２内の水位は、共に水位ＷＬ５よりも低い水位ＷＬ６となる。
ここで、図８に示す水位ＷＬ６は、弁体７４が排水口２２ａを閉鎖した後に、筒体７０の外方の貯水タンク２２内の洗浄水が、筒体７０の開口部７０ａを介して筒体７０の内方に流入し、最終的に得られる、死水水位である。
【００４７】
一方、図２に示すように、小洗浄モードを開始する際には、使用者が操作レバー５４を奥側に９０度回転させ、或いは、小洗浄のボタンが押されモータ５６が作動されると、第１の引き上げ部材６２及び第２の引き上げ部材６４の両方が揺動する。
第１の引き上げ部材６２の揺動により、第１玉鎖６６を介してフロート７６が引き上げられ、これにより、排水口２２ａが開いて、排水が開始される。
また、第２の引き上げ部材６４の揺動により、第２玉鎖６８を介して切替弁７２が引き上げられ、切替弁７２が筒体７０の開口部７０ａを閉鎖した状態となる。
【００４８】
このような引き上げの完了の直後に操作レバー５４は初期位置に戻されて、第１の引き上げ部材６２が初期位置に戻され、或いは、第１の引き上げ部材６２が初期位置に戻るようにモータ５６が作動される。
【００４９】
このとき、フロート７６は、この上方の制御筒３６の横壁部３６ｂに密着し、孔部３６ｃを塞ぐ位置まで引き上げられ、貯水部３６ｄ及び洗浄水保留部３６ｅには、それぞれ、洗浄水が満たされている状態となっている。
【００５０】
そして、筒体７０の内外の洗浄水の流速差により生じる差圧により、筒体７０の外部の水圧が筒体７０の内部の水圧よりも低くなるため、切替弁７２は、筒体７０の開口部７０ａを閉鎖した状態に保持されたままである。
【００５１】
つぎに、排水開始後、貯水タンク２２内の洗浄水の全体の水位が時間と共に低下し、水位が筒体７０の上縁部（上面）付近まで低下した時点で、筒体７０内の洗浄水が急激に排水口２２ａから排出されるようになる。
このとき、筒体７０の内部領域のうちの開口部７０ａに対して近位側の内部領域Ｖ１と遠位側の内部領域Ｖ２内に配置されている制御筒３６の流入口３６ｆを介して、制御筒３６の洗浄水保留部３６ｅの下部から洗浄水保留部３６ｅに空気が入り、フロート７６が浮力を失い、貯水部３６ｄ及び洗浄水保留部３６ｅの洗浄水が下方に流出すると共にフロート７６が下降して、弁体７４が排水口２２ａを閉鎖し、排水が終了する。
【００５２】
また、筒体７０の内部領域Ｖ１，Ｖ２内の水位は共に安定しながら低下するため、制御筒３６の洗浄水保留部３６ｅ内の水位低下も安定し、制御筒３６の洗浄水保留部３６ｅの下部から洗浄水保留部３６ｅに空気が流入するタイミングも排水動作毎にばらつくことなく安定する。そして、フロート７６も安定した状態で下降して、弁体７４が排水口２２ａを閉鎖する閉弁動作のタイミングも安定した状態で閉弁動作が行われる。
【００５３】
また、小洗浄モードにおいては、筒体７０の開口部７０ａが閉鎖された状態で排水弁装置３４による排水動作が行われるため、貯水タンク２２内の洗浄水が、切替弁７２により開放された状態の筒体７０の開口部７０ａを介して排水口２２ａから排出される大洗浄モードに比べて、貯水タンク２２内の洗浄水が筒体７０の開口部７０ａを通過できなくなる分だけ排水口２２ａから排出される洗浄水量が少なくなる。
【００５４】
上述した本発明の第１実施形態による洗浄水タンク装置１８によれば、排水弁装置３４による大洗浄モードの排水を行う際に、切替弁７２が筒体７０の開口部７０ａを開放した状態で排水弁装置３４の弁体７４が排水口２２ａを開放すると、貯水タンク２２内の洗浄水が筒体７０の開口部７０ａから筒体７０の内部領域Ｖ１内に流入する。
この際、制御筒３６の仕切壁３６ｇ，３６ｈが、筒体７０の内部領域Ｖ１内に流入した洗浄水が筒体７０の内部領域Ｖ２内へ浸入することを抑制し、筒体７０の内部領域Ｖ２内の水位の低下を安定化させる水位低下安定化手段として機能するため、制御筒３６の洗浄水保留部３６ｅの下部から洗浄水保留部３６ｅに空気が流入するタイミングを排水動作毎にばらつくことなく安定させることができる。この結果、制御筒３６の洗浄水保留部３６ｅの下部から洗浄水保留部３６ｅに空気が流入するタイミングも排水動作毎にばらつくことなく安定化させることができる。また、フロート７６も安定した状態で下降して、弁体７４が排水口２２ａを閉鎖する閉弁動作のタイミングも安定した状態で閉弁動作が行われるため、排水口２２ａから排出される洗浄水の量を安定させることができる。
【００５５】
つぎに、図９〜図１４により、本発明の第２実施形態による洗浄水タンク装置を説明する。
図９は、本発明の第２実施形態による洗浄水タンク装置の大洗浄モードにおける排水開始前の状態を示す概略断面図であり、図１０は、本発明の第２実施形態による洗浄水タンク装置の排水弁装置の分解斜視図である。
【００５６】
また、図１１は、本発明の第２実施形態による洗浄水タンク装置の排水弁装置の平面図であり、図１２は、本発明の第２実施形態による洗浄水タンク装置の大洗浄モードにおける排水開始時の状態を示す概略断面図である。
【００５７】
さらに、図１３は、本発明の第２実施形態による洗浄水タンク装置の大洗浄モードにおける排水途中の状態を示す概略断面図であり、図１４は、本発明の第２実施形態による洗浄水タンク装置の大洗浄モードにおける排水終了後の状態を示す概略断面図である。
【００５８】
なお、本発明の第２実施形態による洗浄水タンク装置は、上述した第１実施形態と基本構造は同じであり、筒体１７０の構造のみが異なるため、以下、その異なる部分のみを説明する。また、第１実施形態と同様の構成のものは、同一の符号を付している。
【００５９】
図９〜図１４に示すように、本発明の第２実施形態による洗浄水タンク装置１１８においては、排水弁装置１３４の制御筒３６の外周と筒体１７０の内周と間に形成される筒体１７０の内部領域が、筒体１７０の開口部１７０ａが形成されている筒体１７０の側壁１７０ｃと、制御筒３６の仕切壁３６ｇ，３６ｈを含む側壁３６ａとの間に形成される内部領域Ｖ３（第１実施形態の筒体７０の内部領域Ｖ１に相当する領域）のみを備えている。
【００６０】
一方、筒体１７０の側壁１７０ｃと対向する筒体１７０の側壁１７０ｄと制御筒３６の洗浄水保留部３６ｅを形成する側壁３６ａとの間の間隔はほぼ零に設定されており、筒体１７０の開口部１７０ａに対して遠位側に配置される筒体１７０の内部領域（第１実施形態の筒体７０の内部領域Ｖ２に相当する領域）における空間を無くすように設定されている。
【００６１】
つぎに、図９〜図１４により、本発明の第２実施形態による洗浄水タンク装置の動作（作用）を説明する。
まず、図９に示すように、洗浄水タンク装置１１８の大洗浄モードにおける排水開始前の状態から、図１２に示すように、大洗浄モードを開始した際、第１の引き上げ部材６２のみが揺動され、第１玉鎖６６を介して排水弁装置１３４のフロート７６が引き上げられる。これにより、排水弁装置１３４の弁体７４が上昇して排水口２２ａが開放され、排水が開始され、貯水タンク２２の水位ＷＬ１０１が低下する。
【００６２】
また、第２の引き上げ部材６４は揺動せず、第２玉鎖６８は第２の引き上げ部材６４によって引き上げられないため、切替弁７２は筒体１７０の開口部１７０ａを開放したままの状態となっている。
このとき、図１２に示すように、フロート７６は、この上方の制御筒３６の横壁部３６ｂに密着し、孔部３６ｃを塞ぐ位置まで引き上げられ、貯水部３６ｄ及び洗浄水保留部３６ｅには、それぞれ、洗浄水が満たされている状態となっている。
【００６３】
つぎに、図１３に示すように、排水開始後、貯水タンク２２内の洗浄水の全体の水位が時間と共に低下し、図１３に破線ＷＬ１０２で示されている筒体１７０の上縁部（上面）付近の水位まで低下した時点で、筒体１７０内の洗浄水が急激に排水口２２ａから排出されるようになる。
このとき、貯水タンク２２内の洗浄水の全体の水位は、水位ＷＬ１０２から筒体１７０の開口部１７０ａの下縁部付近の水位ＷＬ１０３まで低下する。
【００６４】
また、図１３に示すように、筒体１７０の内部領域Ｖ３内には、貯水タンク２２内から筒体１７０の開口部１７０ａを経て洗浄水が流入すると共に、制御筒３６の貯水部３６ｄ内から小穴３６ｉを経て内部領域Ｖ３内に流入した洗浄水が流入する一方、この筒体１７０の内部領域Ｖ３内の洗浄水が流入口３６ｆを介して排水口２２ａから排出されるため、筒体１７０の内部領域Ｖ３内の水位ＷＬ１０４は、筒体１７０の開口部１７０ａの下縁部付近の水位ＷＬ１０３よりも低い水位となる。
【００６５】
また、貯水タンク２２内の洗浄水が筒体１７０の開口部１７０ａから内部領域Ｖ３内に流入する際に、筒体１７０の開口部１７０ａが設けられていない筒体１７０の側壁１７０ｄと制御筒３６の側壁３６ａとの間の間隔がほぼ零に設定されているため、筒体１７０の側壁１７０ｄと制御筒３６の側壁３６ａとの間に浸入することなく、筒体１７０の内部領域Ｖ３内に安定した流れで流入するため、筒体１７０の内部領域Ｖ３内の洗浄水の水位ＷＬ１０４についても、弁体７４が排水口２２ａを閉鎖するまで、安定した状態で水位が低下する。
すなわち、筒体１７０の開口部１７０ａが設けられていない筒体１７０の側壁１７０ｄと制御筒３６の側壁３６ａとの間の間隔をほぼ零に設定したことにより、筒体１７０の内部領域Ｖ３内の水位の低下が安定化される。
【００６６】
その後、図１３に示す筒体１７０の内部領域Ｖ３内の水位ＷＬ１０４が、時間の経過とともに安定して低下し、制御筒３６の洗浄水保留部３６ｅの下部に配置されている流入口３６ｆの上縁部付近の水位まで低下した時点で、流入口３６ｆを介して、洗浄水保留部３６ｅの下部から洗浄水保留部３６ｅに空気が流入し、フロート７６が浮力を失う。
この結果、フロート７６が下降すると同時に、貯水部３６ｄの孔部３６ｃが開放され、貯水部３６ｄの洗浄水が孔部３６ｃから洗浄水保留部３６ｅ内に流入し、洗浄水保留部３６ｅ内の洗浄水は、下方に流出して排水口２２ａから排出される。そして、図１４に示すように、弁体７４が排水口２２ａを閉鎖し、排水が終了する。
【００６７】
このとき、筒体１７０の内部領域Ｖ３内の水位は安定しながら低下するため、制御筒３６の洗浄水保留部３６ｅ内の水位低下も安定し、制御筒３６の洗浄水保留部３６ｅの下部から洗浄水保留部３６ｅに空気が流入するタイミングも排水動作毎にばらつくことなく安定する。そして、フロート７６も安定した状態で下降して、弁体７４が排水口２２ａを閉鎖する閉弁動作のタイミングも安定した状態で閉弁動作が行われる。
【００６８】
最終的には、図１４に示すように、貯水タンク２２内の洗浄水の全体の水位ＷＬ１０５は、筒体１７０の開口部１７０ａの下縁部付近の水位となり、筒体１７０の内部領域Ｖ２内の水位は、水位ＷＬ１０５よりも低い水位ＷＬ１０６となる。
ここで、図１４に示す水位ＷＬ１０６は、弁体７４が排水口２２ａを閉鎖した後に、筒体１７０の外方の貯水タンク２２内の洗浄水が、筒体１７０の開口部１７０ａを介して筒体１７０の内方に流入し、最終的に得られる、死水水位である。
【００６９】
一方、小洗浄モードについては、排水開始後、貯水タンク２２内の洗浄水の全体の水位が時間と共に低下し、筒体１７０の上縁部（上面）付近の水位まで低下した時点で、筒体１７０内の洗浄水が急激に排水口２２ａから排出されるようになる。
また、小洗浄モードにおいては、筒体１７０の開口部１７０ａが切替弁７２によって閉鎖された状態で排水弁装置１３４による排水動作が行われるため、貯水タンク２２内の洗浄水が、切替弁７２により開放された状態の筒体１７０の開口部１７０ａを介して排水口２２ａから排出される大洗浄モードに比べて、貯水タンク２２内の洗浄水が筒体１７０の開口部１７０ａを通過しない分だけ排水口２２ａから排出される洗浄水量が少なくなる。
【００７０】
さらに、筒体１７０の内部領域Ｖ３内の水位が、時間の経過とともに安定して低下し、制御筒３６の洗浄水保留部３６ｅの下部に配置されている流入口３６ｆの上縁部付近の水位まで低下した時点で、流入口３６ｆを介して、洗浄水保留部３６ｅの下部から洗浄水保留部３６ｅに空気が流入し、フロート７６が浮力を失って下降する。
このとき、筒体１７０の内部領域Ｖ３内の水位は安定しながら低下するため、制御筒３６の洗浄水保留部３６ｅ内の水位低下も安定し、制御筒３６の洗浄水保留部３６ｅの下部から洗浄水保留部３６ｅに空気が流入するタイミングも排水動作毎にばらつくことなく安定する。そして、フロート７６も安定した状態で下降して、弁体７４が排水口２２ａを閉鎖する閉弁動作のタイミングも安定した状態で閉弁動作が行われる。
【００７１】
上述した本発明の第２実施形態による洗浄水タンク装置１１８によれば、排水弁装置１３４による大洗浄モードの排水を行う際に、切替弁７２が筒体１７０の開口部１７０ａを開放した状態で排水弁装置１３４の弁体７４が排水口２２ａを開放すると、貯水タンク２２内の洗浄水が筒体１７０の開口部１７０ａから筒体１７０の内部領域Ｖ３内に流入する。
この際、筒体１７０の開口部１７０ａが設けられていない筒体１７０の側壁１７０ｄと制御筒３６の側壁３６ａとの間の間隔をほぼ零に設定したことにより、筒体１７０の内部領域Ｖ３内の水位の低下が安定化されるため、制御筒３６の洗浄水保留部３６ｅの下部から洗浄水保留部３６ｅに空気が流入するタイミングを排水動作毎にばらつくことなく安定化させることができる。この結果、制御筒３６の洗浄水保留部３６ｅの下部から洗浄水保留部３６ｅに空気が流入するタイミングも排水動作毎にばらつくことなく安定化させることができる。また、フロート７６も安定した状態で下降して、弁体７４が排水口２２ａを閉鎖する閉弁動作のタイミングも安定した状態で閉弁動作が行われるため、排水口２２ａから排出される洗浄水の量を安定させることができる。
【００７２】
なお、上述した本発明の第２実施形態による洗浄水タンク装置１１８においては、一例として、排水弁装置１３４の制御筒３６の外周と筒体１７０の内周と間に形成される筒体１７０の内部領域が、筒体１７０の開口部１７０ａが形成されている筒体１７０の側壁１７０ｃと、制御筒３６の仕切壁３６ｇ，３６ｈを含む側壁３６ａとの間に形成される内部領域Ｖ３のみを備え、筒体１７０の側壁１７０ｄと制御筒３６の側壁３６ａとの間の間隔をほぼ零に設定して、筒体１７０の開口部１７０ａに対して遠位側に配置される筒体１７０の内部領域の空間を無くすように設定した形態について説明したが、このような形態に限定されず、例えば、筒体１７０の側壁１７０ｄと制御筒３６の側壁３６ａとの間の間隔を零以外の所定間隔に設定して、筒体１７０の開口部１７０ａに対して遠位側に配置される筒体１７０の内部領域と、筒体１７０の開口部１７０ａに対して近位側に配置される筒体１７０の内部領域Ｖ３との内部容積の割合を適宜変更してもよい。
【００７３】
つぎに、図１５〜図２０により、本発明の第３実施形態による洗浄水タンク装置を説明する。
図１５は、本発明の第３実施形態による洗浄水タンク装置の大洗浄モードにおける排水開始前の状態を示す概略断面図であり、図１６は、本発明の第３実施形態による洗浄水タンク装置の排水弁装置の分解斜視図である。
【００７４】
また、図１７は、本発明の第３実施形態による洗浄水タンク装置の排水弁装置の平面図であり、図１８は、本発明の第３実施形態による洗浄水タンク装置の大洗浄モードにおける排水開始時の状態を示す概略断面図である。
【００７５】
さらに、図１９は、本発明の第３実施形態による洗浄水タンク装置の大洗浄モードにおける排水途中の状態を示す概略断面図であり、図２０は、本発明の第３実施形態による洗浄水タンク装置の大洗浄モードにおける排水終了後の状態を示す概略断面図である。
【００７６】
なお、本発明の第３実施形態による洗浄水タンク装置は、上述した第１実施形態及び第２実施形態と基本構造は同じであり、筒体２７０の構造のみが異なるため、以下、その異なる部分のみを説明する。また、第１実施形態及び第２実施形態と同様の構成のものは、同一の符号を付している。
【００７７】
図１５〜図２０に示すように、本発明の第３実施形態による洗浄水タンク装置２１８においては、排水弁装置２３４の筒体２７０の互いに対向する側面部の一方の側面部に第１の開口部２７０ａが形成され、筒体２７０の他方の側面部に第２の開口部２７０ｂが形成されている。
また、筒体２７０の第１の開口部２７０ａと第２の開口部２７０ｂは、ほぼ矩形状の同一の開口断面を備え、筒体２７０の下端部に形成される排水口２２ａに対して、互いにほぼ同一の高さ位置に配置されている。
【００７８】
さらに、筒体２７０は、第１開口部２７０ａ及び第２開口部２７０ｂのそれぞれの下方且つ側方の両側に軸２７０ｃ，２７０ｄをそれぞれ備え、各軸２７０ｃ，２７０ｄには、第１切替弁２７２の受部２７２ａ及び第２切替弁２７３の受部２７３ａがそれぞれ取り付けられており、第１切替弁２７２及び第２切替弁２７３のそれぞれが、筒体２７０の第１開口部２７０ａ及び第２開口部２７０ｂのそれぞれに開閉可能に取り付けられている。
【００７９】
また、第１切替弁２７２及び第２切替弁２７３のそれぞれの上端部には、第２玉鎖２６８及び第３玉鎖２６９のそれぞれの下端部が取り付けられている。
一方、第２玉鎖２６８及び第３玉鎖２６９のそれぞれの上端部は、図２に示す第２の引き上げ部材６４に取り付けられており、この第２の引き上げ部材６４が第２玉鎖２６８及び第３玉鎖２６９のそれぞれを引き上げることにより、第１切替弁２７２及び第２切替弁２７３のそれぞれが、筒体２７０の軸２７０ｃ，２７０ｄのそれぞれを中心に所定の下方位置から第１開口部２７０ａ及び第２開口部２７０ｂのそれぞれを閉鎖する位置まで回動することができるようになっている。
【００８０】
また、第１切替弁２７２及び第２切替弁２７３のそれぞれには、錘２７８，２７９がそれぞれ取り付けられている。
図２に示すような第２の引き上げ部材６４による第２玉鎖２６８及び第３玉鎖２６９の引き上げが行われる前の状態で第１切替弁２７２及び第２切替弁２７３のそれぞれが第１開口部２７０ａ及び第２開口部２７０ｂのそれぞれを開放している初期位置の状態から、第２の引き上げ部材６４による第２玉鎖２６８及び第３玉鎖２６９の引き上げが行われ、第１切替弁２７２及び第２切替弁２７３のそれぞれが第１開口部２７０ａ及び第２開口部２７０ｂのそれぞれを閉鎖した後、第２の引き上げ部材６４による第２玉鎖２６８及び第３玉鎖２６９の引き上げが解除された際に、第１切替弁２７２及び第２切替弁２７３の自重と錘２７８，２７９の重さにより、第１切替弁２７２及び第２切替弁２７３のそれぞれが第１開口部２７０ａ及び第２開口部２７０ｂのそれぞれを開放している初期位置の状態に戻るようになっている。
【００８１】
さらに、筒体２７０の内部領域は、制御筒３６の側壁３６ａの仕切壁３６ｇ，３６ｈにより、２つの内部領域Ｖ４，Ｖ５に区画されている。
筒体２７０の内部領域Ｖ４は、筒体２７０の第１開口部７０ａが形成されている筒体２７０の側壁２７０ｅと、制御筒３６の仕切壁３６ｇ，３６ｈを含む側壁３６ａとの間に形成されている。
一方、筒体２７０の内部領域Ｖ５は、筒体２７０の第２開口部７０ｂが形成されている筒体２７０の側壁２７０ｆと、制御筒３６の仕切壁３６ｇ，３６ｈを含む側壁３６ａとの間に形成されている。
【００８２】
また、筒体２７０の側壁２７０ｅと制御筒３６の側壁３６ａとの距離は、筒体２７０の側壁２７０ｆと制御筒３６の側壁３６ａとの距離と等しく、筒体２７０の内部領域Ｖ４の容積と内部領域Ｖ５の容積も、互いにほぼ等しい容積となっている。
【００８３】
つぎに、図１５〜図２０により、本発明の第３実施形態による洗浄水タンク装置の動作（作用）を説明する。
まず、図１５に示すように、洗浄水タンク装置２１８の大洗浄モードにおける排水開始前の状態から、図１８に示すように、大洗浄モードを開始した際、第１の引き上げ部材６２のみが揺動され、第１玉鎖６６を介して排水弁装置２３４のフロート７６が引き上げられる。これにより、排水弁装置２３４の弁体７４が上昇して排水口２２ａが開放され、排水が開始され、貯水タンク２２の水位ＷＬ２０１が低下する。
【００８４】
また、第２の引き上げ部材６４は揺動せず、第２玉鎖２６８及び第３玉鎖２６９は第２の引き上げ部材６４によって引き上げられないため、第１切替弁２７２及び第２切替弁２７３のそれぞれは、筒体２７０の第１開口部２７０ａ及び第２開口部２７０ｂのそれぞれを開放したままの状態となっている。
このとき、図１８に示すように、フロート７６は、この上方の制御筒３６の横壁部３６ｂに密着し、孔部３６ｃを塞ぐ位置まで引き上げられ、貯水部３６ｄ及び洗浄水保留部３６ｅには、それぞれ、洗浄水が満たされている状態となっている。
【００８５】
つぎに、図１９に示すように、排水開始後、貯水タンク２２内の洗浄水の全体の水位が時間と共に低下し、図１９に破線ＷＬ２０２で示されている筒体２７０の上縁部（上面）付近の水位まで低下した時点で、筒体２７０内の洗浄水が急激に排水口２２ａから排出されるようになる。
このとき、貯水タンク２２内の洗浄水の全体の水位は、水位ＷＬ２０２から筒体２７０の第１開口部２７０ａ及び第２開口部２７０ｂの下縁部付近の水位ＷＬ２０３まで低下する。
【００８６】
また、図１９に示すように、筒体１７０の内部領域Ｖ４内には、貯水タンク２２内から筒体２７０の第１開口部２７０ａを経て洗浄水が流入すると共に、制御筒３６の貯水部３６ｄ内から小穴３６ｉを経て内部領域Ｖ４内に流入した洗浄水が流入する一方、この筒体２７０の内部領域Ｖ４内の洗浄水が流入口３６ｆを介して排水口２２ａから排出されるため、筒体２７０の内部領域Ｖ４内の水位は、筒体２７０の第１開口部２７０ａの下縁部付近の水位ＷＬ２０３よりも低い水位ＷＬ２０４となる。
【００８７】
また、筒体１７０の内部領域Ｖ５についても、筒体１７０の内部領域Ｖ４と同様に、貯水タンク２２内から筒体２７０の第２開口部２７０ｂを経て洗浄水が流入すると共に、この筒体２７０の内部領域Ｖ４内の洗浄水が流入口３６ｆを介して排水口２２ａから排出されるため、筒体２７０の内部領域Ｖ５内の水位は、筒体２７０の第１開口部２７０ａの下縁部付近の水位ＷＬ２０３よりも低く且つ筒体２７０の内部領域Ｖ４内の水位ＷＬ２０４とほぼ等しくなる。
【００８８】
また、貯水タンク２２内の洗浄水が筒体２７０の第１開口部２７０ａ及び第２開口部２７０ｂのそれぞれから、それぞれの内部領域Ｖ４，Ｖ５内に流入する際に、安定した流れで流入するため、筒体１７０の内部領域Ｖ４，Ｖ５内のそれぞれの洗浄水の水位ＷＬ２０４についても、弁体７４が排水口２２ａを閉鎖するまで、安定した状態で水位が低下する。
すなわち、互いに同一の開口断面を備えた筒体２７０の第１開口部２７０ａ及び第２開口部２７０ｂのそれぞれについて、筒体２７０の対向する側面部のそれぞれのほぼ同一の高さ位置に配置し、制御筒３６の仕切壁３６ｇ，３６ｈにより、筒体２７０の内部領域を互いに容積が等しい２つの内部領域Ｖ４，Ｖ５に区画したことにより、筒体２７０の内部領域Ｖ４，Ｖ５内の水位の低下が安定化される。
【００８９】
その後、図１９に示す筒体２７０の内部領域Ｖ４，Ｖ５内の水位ＷＬ２０４が、時間の経過とともに安定して低下し、制御筒３６の洗浄水保留部３６ｅの下部に配置されている流入口３６ｆの上縁部付近の水位まで低下した時点で、流入口３６ｆを介して、洗浄水保留部３６ｅの下部から洗浄水保留部３６ｅに空気が流入し、フロート７６が浮力を失う。
この結果、フロート７６が下降すると同時に、貯水部３６ｄの孔部３６ｃが開放され、貯水部３６ｄの洗浄水が孔部３６ｃから洗浄水保留部３６ｅ内に流入し、洗浄水保留部３６ｅ内の洗浄水は、下方に流出して排水口２２ａから排出される。そして、図２０に示すように、弁体７４が排水口２２ａを閉鎖し、排水が終了する。
【００９０】
このとき、筒体２７０の内部領域Ｖ４，Ｖ５内の水位は安定しながら低下するため、制御筒３６の洗浄水保留部３６ｅ内の水位低下も安定し、制御筒３６の洗浄水保留部３６ｅの下部から洗浄水保留部３６ｅに空気が流入するタイミングも排水動作毎にばらつくことなく安定する。そして、フロート７６も安定した状態で下降して、弁体７４が排水口２２ａを閉鎖する閉弁動作のタイミングも安定した状態で閉弁動作が行われる。
【００９１】
最終的には、図２０に示すように、貯水タンク２２内の洗浄水の全体の水位ＷＬ２０５は、筒体２７０の第１開口部２７０ａ及び第２開口部２７０ｂのそれぞれの下縁部付近の水位となり、筒体２７０の内部領域Ｖ４，Ｖ５内の水位は、水位ＷＬ２０５よりも低い水位ＷＬ２０６となる。
ここで、図２０に示す水位ＷＬ２０６は、弁体７４が排水口２２ａを閉鎖した後に、筒体２７０の外方の貯水タンク２２内の洗浄水が、筒体２７０の第１開口部２７０ａ及び第２開口部２７０ｂのそれぞれを介して筒体２７０の内方に流入し、最終的に得られる、死水水位である。
【００９２】
一方、小洗浄モードについては、排水開始後、貯水タンク２２内の洗浄水の全体の水位が時間と共に低下し、筒体２７０の上縁部（上面）付近の水位まで低下した時点で、筒体２７０内の洗浄水が急激に排水口２２ａから排出されるようになる。
また、小洗浄モードにおいては、筒体２７０の第１開口部２７０ａ及び第２開口部２７０ｂのそれぞれが第１切替弁２７２及び第２切替弁２７３のそれぞれによって閉鎖された状態で排水弁装置２３４による排水動作が行われるため、貯水タンク２２内の洗浄水が、第１切替弁２７２及び第２切替弁２７３により開放された状態の筒体２７０の第１開口部２７０ａ及び第２開口部２７０ｂのそれぞれを介して排水口２２ａから排出される大洗浄モードに比べて、貯水タンク２２内の洗浄水が筒体２７０の第１開口部２７０ａ及び第２開口部２７０ｂのそれぞれを通過しない分だけ排水口２２ａから排出される洗浄水量が少なくなる。
【００９３】
さらに、筒体２７０の内部領域Ｖ４，Ｖ５内の水位が、時間の経過とともに安定して低下し、制御筒３６の洗浄水保留部３６ｅの下部に配置されている流入口３６ｆの上縁部付近の水位まで低下した時点で、流入口３６ｆを介して、洗浄水保留部３６ｅの下部から洗浄水保留部３６ｅに空気が流入し、フロート７６が浮力を失って下降する。
このとき、筒体２７０の内部領域Ｖ４，Ｖ５内の水位は安定しながら低下するため、制御筒３６の洗浄水保留部３６ｅ内の水位低下も安定し、制御筒３６の洗浄水保留部３６ｅの下部から洗浄水保留部３６ｅに空気が流入するタイミングも排水動作毎にばらつくことなく安定する。そして、フロート７６も安定した状態で下降して、弁体７４が排水口２２ａを閉鎖する閉弁動作のタイミングも安定した状態で閉弁動作が行われる。
【００９４】
上述した本発明の第３実施形態による洗浄水タンク装置２１８によれば、排水弁装置２３４による大洗浄モードの排水を行う際に、第１切替弁２７２及び第２切替弁２７３のそれぞれが筒体２７０の第１開口部２７０ａ及び第２開口部２７０ｂのそれぞれを開放した状態で排水弁装置２３４の弁体７４が排水口２２ａを開放すると、貯水タンク２２内の洗浄水が筒体２７０の第１開口部２７０ａ及び第２開口部２７０ｂのそれぞれから筒体１７０のそれぞれの内部領域Ｖ４，Ｖ５内に流入する。
この際、互いに同一の開口断面を備えた筒体２７０の第１開口部２７０ａ及び第２開口部２７０ｂのそれぞれが、筒体２７０の対向する側面部のそれぞれのほぼ同一の高さ位置に配置され、制御筒３６の仕切壁３６ｇ，３６ｈにより、筒体２７０の内部領域が互いに容積が等しい２つの内部領域Ｖ４，Ｖ５に区画されているため、筒体２７０の内部領域Ｖ４，Ｖ５内の水位の低下が安定化される。この結果、制御筒３６の洗浄水保留部３６ｅの下部から洗浄水保留部３６ｅに空気が流入するタイミングを排水動作毎にばらつくことなく安定化させることができ、フロート７６も安定した状態で下降して、弁体７４が排水口２２ａを閉鎖する閉弁動作のタイミングも安定した状態で閉弁動作が行われるため、排水口２２ａから排出される洗浄水の量を安定させることができる。
【符号の説明】
【００９５】
１    水洗便器
２    便器本体
４    ボウル部
６    導水路
８    トラップ管路
８ａ  排水トラップ管路の入口
８ｂ  排水トラップ管路の上昇路
８ｃ  排水トラップ管路の下降路
１０    リム
１２    第１吐水口
１４    溜水部
１６    第２吐水口
１８    洗浄水タンク装置
２０    外装タンク
２２    貯水タンク
２２ａ  排水口
２４    蓋体
２４ａ  手洗い鉢
２４ｂ  吐水口
２６    断熱体
２８    係合部材
３０    係合部材
３２    手洗いカラン
３４    排水弁装置
３６    制御筒
３６ａ  側壁
３６ｂ  横壁部
３６ｃ  孔部
３６ｄ  貯水部
３６ｅ  洗浄水保留部
３６ｆ  流入口
３６ｇ  仕切壁（水位低下安定化手段）
３６ｈ  仕切壁（水位低下安定化手段）
３６ｉ  小穴
３８    導水部材
４０    洗浄水給水装置
４２    給水管
４４    給水装置用フロート
４６    レバー
４８    給水バルブ
５０    手洗い給水管
５２    操作装置
５４    操作レバー
５６    モータ
５８    操作ボタン
６０    回転伝達部材
６２    第１の引き上げ部材
６４    第２の引き上げ部材
６６    第１玉鎖
６８    第２玉鎖
７０    筒体
７０ａ  開口部
７０ｂ  軸
７０ｃ  側壁
７０ｄ  側壁
７２    切替弁
７２ａ  受部
７４    弁体
７６    フロート
７６ａ  フロート本体
７６ｂ  上方棒状部分
７６ｃ  下方棒状部分
７６ｄ  弁体保持部
７６ｅ  フロート本体の上面部
７７    固定部材
７８    錘
１１８    洗浄水タンク装置
１３４    排水弁装置
１７０    筒体
１７０ａ  開口部
１７０ｂ  軸
１７０ｃ  側壁
１７０ｄ  側壁
２１８    洗浄水タンク装置
２３４    排水弁装置
２６８    第２玉鎖
２６９    第３玉鎖
２７０    筒体
２７０ａ  第１の開口部
２７０ｂ  第２の開口部
２７０ｃ  軸
２７０ｄ  軸
２７０ｅ  側壁
２７０ｆ  側壁
２７２    第１切替弁
２７２ａ  受部
２７３    第２切替弁
２７３ａ  受部
２７８    錘
２７９    錘
【図１】
0005446051.tif 000002
【図２】
0005446051.tif 000003
【図３】
0005446051.tif 000004
【図４】
0005446051.tif 000005
【図５】
0005446051.tif 000006
【図６】
0005446051.tif 000007
【図７】
0005446051.tif 000008
【図８】
0005446051.tif 000009
【図９】
0005446051.tif 000010
【図１０】
0005446051.tif 000011
【図１１】
0005446051.tif 000012
【図１２】
0005446051.tif 000013
【図１３】
0005446051.tif 000014
【図１４】
0005446051.tif 000015
【図１５】
0005446051.tif 000016
【図１６】
0005446051.tif 000017
【図１７】
0005446051.tif 000018
【図１８】
0005446051.tif 000019
【図１９】
0005446051.tif 000020
【図２０】
0005446051.tif 000021